(57)【要約】【課題】複数の曲率の曲面や自由曲面を有する物体上に形成された塗膜に対して、より均一な深さ及び形状をもって切り込みを形成することを目的とする。【解決手段】複数の刃を有する切り込み工具１００であって、一端に刃５０を、他の位置に突起３３、３４を有する複数の軸部３１、３２と、軸部３１、３２の一部を嵌合する筒状部４１、４２を有する軸受け部４０と、一方向に延在する突起３１、３２の受け部２１を備えるガイド部２０と、刃５０と軸受け部４０との間に配置され、伸縮可能な弾性体６０と、を備え、突起３３、３４が受け部２１に移動可能に嵌合して構成される。塗膜面から受ける過剰な力を弾性体６０の伸縮で分散させ、突起３３、３４をスリット等の受け部２１内で移動させることにより、横方向へのずれを抑制する。【選択図】図１
2011104566.tif 000002
【特許請求の範囲】
【請求項１】
複数の刃を有する切り込み工具であって、
一端に刃を備え、前記刃と離間する位置に突起を有する複数の軸部と、
前記軸部の一部を嵌合する筒状部を有する軸受け部と、
一方向に延在する前記突起の受け部を備えるガイド部と、
前記刃と前記軸受け部との間に配置され、伸縮可能な弾性体と、を備え、
前記軸部は、前記突起が前記受け部に移動可能に嵌合されて前記軸受け部に保持される
切り込み工具。
【請求項２】
前記突起は、前記軸部の前記刃が接続される側とは反対側の端部がＬ字型に折り曲げられて成る請求項１に記載の切り込み工具。
【請求項３】
前記ガイド部は、板状の部材に前記刃の数に対応する複数のスリット又は溝が前記受け部として形成されて成る請求項２に記載の切り込み工具。
【請求項４】
前記複数の刃が２列に配置され、
前記２列に配置される刃のうち一方の列の刃に対応する前記突起が、他方の列の刃に対応する前記突起よりも延長して形成され、
前記受け部に、前記２列に配置される複数の刃に対応して設けられる突起がそれぞれ嵌合される請求項２又は３に記載の切り込み工具。
【請求項５】
前記ガイド部が前記軸受け部と一体とされて、前記受け部が前記軸受け部の前記筒状部に設けられる請求項１に記載の切り込み工具。
【請求項６】
前記刃の刃先の延長方向と、前記軸部の前記突起の突出方向との位置関係が一定に配置される請求項１〜５のいずれかに記載の切り込み工具。
【請求項７】
前記弾性体がコイルバネである請求項１〜６のいずれかに記載の切り込み工具。
【請求項８】
前記刃が両刃型である請求項１〜７のいずれかに記載の切り込み工具。
【請求項９】
前記刃の刃先は、少なくとも一方の角部が曲線状に形成される請求項１〜８のいずれかに記載の切り込み工具。
【発明の詳細な説明】
【技術分野】
【０００１】
本発明は、各種製品に形成される塗膜の付着性を評価するためのクロスカット法に用いる切り込み工具に関する。
【背景技術】
【０００２】
各種工業製品における塗膜の付着性・密着性の評価を行う方法として、日本工業規格（ＪＩＳ）においてクロスカット法が定められている。
この方法は、プラスチックやガラス、金属等の各種の素地に形成された塗膜に対して、碁盤状の傷跡を形成した後、傷の上に粘着テープを貼着して剥離し、マス目の剥がれ状態により塗膜と素地の密着性を評価するものである。
ＪＩＳの規定によれば、切り込み工具として単一刃切り込み工具と多重刃切り込み工具が規定されている（非特許文献１、第３〜５頁参照）。
【先行技術文献】
【非特許文献】
【０００３】
【非特許文献１】日本工業規格（ＪＩＳ）Ｋ５６００−５−６（１９９９）
【発明の概要】
【発明が解決しようとする課題】
【０００４】
多重刃切り込み工具を使用する場合、例えば眼鏡レンズのように、複数の曲率による曲面が形成されている物体や、自由曲面を有する物体に形成された塗膜の評価を行うのは困難であった。これは、多重刃の刃先が曲面に合致しない領域が生じるので、刃先を常に一定の力で塗膜に押し込んで切り込みをすることができなくなるためである。
【０００５】
したがって、複数の曲率をもつ曲面や自由曲面などの、複雑な曲面を有する物体上の塗膜を評価する場合、単一刃切り込み工具を用いることとなる。しかしながら、単一刃切り込み工具を用いた場合は、例えば１０×１０個のマス目で評価する場合、数多くの切り込み線を形成することとなる。また塗膜が非常に硬く、例えば無機蒸着層である反射防止膜や、表面硬度を高めるハードコート層等の評価を行うには、線引きに強い力を要することとなる。これらの理由により、単一刃切り込み工具を用いても、均質な深さで切り込みを行うことが困難な場合があった。切り込み線の深さにばらつきが生じてしまうと、付着性の評価もばらついてしまい、信頼性が劣ってしまうという問題がある。
【０００６】
また、単一刃に限らず多重刃を用いる場合においても、クロスカットを行うには複数の平行直線状の切り込み線を形成する必要があるが、被検査面の曲面形状や刃の形状等によっては直線が歪んでしまう恐れがある。このように切り込み線の形状が歪んでしまう場合も、切り込みの深さにばらつきが生じる原因となる。
【０００７】
以上の問題に鑑みて、本発明は、複数の曲率をもつ曲面や自由曲面を有する物体上に形成された塗膜に対して、より均一な深さ及び形状をもって切り込み線を形成することを目的とする。
【課題を解決するための手段】
【０００８】
上記課題を解決するために本発明は、複数の刃を有する切り込み工具であって、一端に刃を備え、刃と離間する位置に突起を有する複数の軸部と、これら軸部の一部を嵌合する筒状部を有する軸受け部と、一方向に延在する前記突起の受け部を備えるガイド部と、刃と軸受け部との間に配置され、伸縮可能な弾性体と、を備える。そして、軸部は、突起が受け部に移動可能に嵌合されるように軸受け部に保持される構成とする。
【０００９】
本発明による切り込み工具は、このように、刃と軸受け部との間に弾性体を介在させることで、刃が被検査面の凹凸によって押圧されると、刃を備える軸部が軸受け部側に押圧されるが、弾性体の伸縮によって軸受け部とは別に軸部が移動する。一方、軸部に設ける突起は、一方向に延在するスリットや溝等より成る受け部に対し相対的に移動可能として軸受け部に保持される。したがってこの切り込み工具においては、この突起を備える軸部の移動方向が受け部の延在方向に制限されることとなり、すなわち各刃の移動方向が互いに平行な一定の方向に制限されることとなる。
【００１０】
つまり本発明の切り込み工具によれば、まず、被検査面の曲面形状に追随して弾性体が刃の移動を吸収するので、過剰な力が加わってもこれを分散させ、刃先から被検査面に加わる力をより均一にすることができる。そして更に、切り込み動作時における刃のずれ方向を、突起が嵌合する溝の延長方向に制限することで、刃に過剰な力が加わったときの横方向のずれや、軸部を中心軸とする回転方向のずれが抑制されるので、刃先のずれを抑制することができる。このため、被検査面の曲率が変化して刃の切り込み方向を横切る方向に力が働く場合においても、刃が所定の方向以外の方向にずれることを抑制ないしは回避することができる。したがって、被検査面が自由曲面などの複雑な曲面を有する場合でも、切り込み方向に対して斜め方向、横方向の力が加わっても、より均一な深さ、均一な形状の切り込みを形成することが可能となる。
【００１１】
また、本発明の切り込み工具において、突起を、軸部の刃が接続される側とは反対側の端部がＬ字型に折り曲げられて成る構成としてもよい。このようにすることで軸部を比較的簡易な形状とすることができ、また刃先の向きとの位置合わせが容易となる。
【００１２】
この場合、ガイド部として、板状の部材に刃の数に対応する複数のスリット又は溝が受け部として設けられていてもよい。Ｌ字型の突起をスリット状や溝状の受け部に嵌合させることで、容易に突起を一方向に移動可能な状態で構成することができる。
【００１３】
また、複数の刃は２列に配置してもよく、この場合は２列に配置される刃のうち一方の列の刃に対応する突起を、他方の列の刃に対応する突起よりも延長して形成し、ガイド部の受け部に、２列に配置される複数の刃に対応して設けられる突起をそれぞれ嵌合する構成としてもよい。このような構成とすることで、各部材の構成が簡易となり、また各部の分解組み立てを容易とし、切り込み工具のメンテナンス作業を簡易化できる。また軸部とガイド部に設ける受け部との距離や、突起と受け部との間隔を適宜選定することによって、切り込み作業時に発生する切り粉等の塵埃の混入を抑えることができる。
【００１４】
また本発明においては、ガイド部を軸受け部と一体として、突起の受け部が軸受け部の筒状部に設けられる構成としてもよい。この場合は、部品点数を削減して、切り込み工具の構成を簡易化することができる。
【００１５】
また、本発明の切り込み工具においては、刃先の延長方向と、軸部の突起の突出方向との位置関係が一定に配置されることが好ましい。このような構成とすることで、刃の移動方向に対して、特定の方向に軸部を移動させることができ、各刃に対して過剰な力が働いた場合の、力の分散の度合いをより均一にすることができる。このため、切り込み深さを一定化することが可能となる。
【００１６】
また、弾性体はコイルバネより構成することが好ましい。コイルバネを用いることで、コイルバネの内部に軸部の一部を収容することができ、簡易な構成とすることが可能である。
【発明の効果】
【００１７】
本発明によれば、複数の曲率をもつ曲面や自由曲面を有する物体上に形成された塗膜に対して、より均一な深さ及び形状をもって切り込み線を形成することができる。
【図面の簡単な説明】
【００１８】
【図１】本発明の実施の形態に係る切り込み工具の概略側面図である。
【図２】本発明の実施の形態に係る切り込み工具の要部の概略正面図である。
【図３】本発明の実施の形態に係る切り込み工具の概略上面図である。
【図４】本発明の実施の形態に係る切り込み工具の要部の概略側面図であり、Ａ及びＢは軸部、Ｃは刃、Ｄは弾性体の概略側面図である。
【図５】本発明の実施の形態に係る切り込み工具の軸受け部の概略側面図である。
【図６】本発明の実施の形態に係る切り込み工具の軸受け部の概略下面図である。
【図７】本発明の実施の形態に係る切り込み工具の軸受け部の概略正面図である。
【図８】本発明の実施の形態に係る切り込み工具のガイド部の概略平面図である。
【図９】本発明の実施の形態に係る切り込み工具の支持部の概略構成図であり、Ａは上面図、Ｂは下面図、Ｃは側面図である。
【図１０】本発明の実施の形態に係る切り込み工具の使用状態を示す概略斜視図である。
【図１１】本発明の実施の形態に係る切り込み工具の使用状態を示す参考図である。
【図１２】本発明の他の実施の形態に係る切り込み工具の要部の概略構成図であり、Ａは側面図、Ｂは上面図である。
【発明を実施するための形態】
【００１９】
以下本発明を実施するための最良の形態を示すが、本発明は以下の例に限定されるものではない。以下の例ではプラスチックレンズの塗膜面の評価に用いて好適な切り込み工具の実施の形態について説明するが、本発明による切り込み工具はこれに限らず、その他種々の被検査面の評価に利用することが可能である。
【００２０】
なお、本発明の切り込み工具を構成する各部の材料は特に限定されず、ステンレス、アルミや銅等の各種金属や合金材料、セラミックなどを利用でき、また刃以外の部分は樹脂等の成形可能な材料等を用いることも可能である。
【００２１】
１．第１の実施の形態
図１は、本発明の実施の形態に係る切り込み工具１００の概略側面図である。また、図２はこの切り込み工具１００の要部の正面図、図３は上面図である。図２及び図３において、図１と対応する部分には同一符号を付して示す。図１に示すように、この切り込み工具１００は、把持部１０と、把持部１０に係止部１１、１２を介して固定される支持部１３、支持部１３上にネジ又は接着剤等（図示せず）によって固定される板状のガイド部２０、長さの異なる筒状部４１、４２を有する軸受け部４０を備える。更に、軸受け部４０の筒状部４１、４２に嵌合される上側の複数の軸部３１、下側の複数の軸部３２を有し、これら軸部３１、３２はそれぞれ一方の端部（以下先端とする）に刃５０を備え、刃５０とは離間する位置、この場合他方の端部（以下後端とする）に突起３３、３４を備える。なお、ここで上側とは、把持部１０を下側に、軸部３１、３２側を上側に保持した場合の上下の位置関係を示し、切り込み工具１００使用時の上下の位置関係とは異なる。
【００２２】
図２に示すようにこの例では、上側の軸部３１として６本、下側の軸部３２として５本、計２列１１本の軸部３１、３２を配置して、それぞれに刃５０を備える多重刃構成とする場合を示す。この場合刃５０の総数は合計１１個となり、１１本の切り込み線を一回の切り込み作業で形成するものである。なお、上側を５本、下側を６本としてもよく、またその他の本数としてもよい。更に、２列に配置せず１列の構成としてもよい。
【００２３】
本実施の形態では、図１に示すように、軸部３１、３２の後端に設ける突起３３、３４は、端部がＬ字型に折り曲げられて構成される。また軸部３１、３２の後端側は、上側の軸部３１の方が下側の軸部３２より後方に延長される。このようにすることで上側の軸部３１の突起３３が下側の軸部３２やその突起３４に妨げられることなく、それぞれガイド部２０に達するように構成される。
【００２４】
そしてガイド部２０には、図１及び図３に示すように、一方向に延在する受け部として、スリット２１、２２が上述した軸部３１、３２の突起３３、３４に対応してそれぞれ６本及び５本、計１１本設けられる。これにより、各突起３３、３４は、ガイド部２０の各スリット２１、２２に嵌合され、このスリット２１、２２の形状に沿って移動可能とされる。なお、突起３３、３４の受け部としてはスリット２１、２２に限定されるものではなく、ストライプ状の溝等でもよい。また、ガイド部２０の表面に、一定の方向に延在する凸部を設け、凸部の間に形成されるストライプ状の凹部を受け部としてもよく、その他、突起３３、３４が一方向に移動可能に嵌合される構造であればよい。
【００２５】
軸部３１、３２の先端には、刃５０の基部側に設けられる円筒形状等の取り付け部５１が嵌合等によって接続される。この取り付け部５１は、各刃５０の刃先５２の延長方向が一方向に揃うように軸部３１、３２の先端に取り付けられる。また、各刃先５２の延長方向は、軸部３１、３２の各突起３３、３４の突出方向との位置関係が一定となるように配置されることが好ましい。各軸部３１、３２の突起３３、３４は、軸部３１、３２の後端からこの板状のガイド部２０に向かって突出するように配置される。したがって、各突起３３、３４の突出方向と刃先５２の延長方向との位置関係を一定とし、例えば同一方向とすることで、容易に全ての刃先５２の延長方向を揃えることができる。
【００２６】
なお、刃先５２の長さは取り付け部５１の外径より長くすることが好ましい。この場合、図２に示すように、上段の軸部３１に取り付けられる刃先５２と下段の軸部３２に取り付けられる刃先５２とが、横方向（刃５０の各配列方向）に一部重なるように、また上段の刃５０と下段の刃５０とは上下に重ならず、斜め方向に交互に配置される。この場合は刃５０の間隔を小さくでき、より小型な構成とすることができる。
【００２７】
また刃５０と軸部３１、３２を嵌合している軸受け部４０との間には、コイルバネ等の伸縮性を有する弾性体６０が配置される。弾性体６０としてコイルバネを用いる場合は、軸部３１、３２をその内部に挿入して配置することができ、構成が簡易化されるので好ましい。これら各弾性体６０は、刃５０の取り付け部５１と軸受け部４０の刃５０側の端面との間に係止するように配置される。そして各刃５０に力を加えていない状態で、各弾性体６０が一定の長さとなるように、各刃５０と軸受け部４０の端面との間隔が設定される。つまり、各弾性体６０の弾性定数や大きさ、形状を均一化し、且つ、圧力をかけない非作業時の状態での弾性体６０の長さを一定に配置することによって、弾性体６０の収縮と軸部３１、３２の移動によって、作業時に各刃５０にかかる圧力が均質化される。
【００２８】
このように、刃５０を弾性体６０を介して軸受け部４０に取り付けることで、過剰な力が加わっても、その力を逃がすため被検査面に加わる力がより均一になり、刃５０の接触圧がほぼ均質に保たれることとなる。また弾性体６０により、刃先５２の位置が上下に（すなわち軸部３１、３２の延長方向に）伸縮するため、被検査面が複数の曲率をもつ曲面や自由曲面などの複雑な曲面を有する場合であっても、ほぼ一定の深さの傷、すなわち切り込み痕を直線的に付与することができる。
【００２９】
更に、軸部３１、３２に設ける突起３３、３４をガイド部２０に設ける平行なスリット２１、２２の形状に沿って移動させることで、軸部３１、３２の移動方向が統一される。これにより、刃先５２に加わる力の方向がより一定になり、均質な切り込み線を形成することが可能となる。
【００３０】
また、各刃先５２の側面形状は、刃先５２の少なくとも一方の角部を曲線状、又は図１に示すように円弧状とすることが好ましい。円弧状に限らず、例えば刃先５２の側面形状として中央部を直線状とし、両端の角部を曲線状としてもよい。刃先５２の少なくとも一方の角部、特に切り込み方向の角部を曲線状とすることで、切り込み作業時に、切り込み方向に対して斜め方向の力が加わっても、確実に刃先５２の延長方向に沿って切り込むことが可能となる。
【００３１】
図４Ａ〜Ｄは、以上説明した軸部３１及び３２、刃５０、弾性体６０のそれぞれ単体での側面図を示す。図４Ａ及びＢに示すように、軸部３１及び３２は例えば同じ直径の円柱状として、軸部３１の長さが軸部３２より長く形成される。また後端に設けられる突起３３、３４も例えば同じ径の円柱状として各軸部３１、３２の後端からＬ字型に折り曲げられて設けられ、突起３３の長さは突起３４より長く形成される。突起３３、３４の長さは、軸受け部４０の筒状部４１、４２に嵌合された状態で、ガイド部２０のスリット２１、２２に達し、この場合貫通する長さであればよい。軸部３１及び３２の長さは、ガイド部２０に設けるスリット２１、２２の長さに合わせて適宜選定する。軸部３１及び３２、スリット２１及び２２共に、使用する目的、すなわち被検査面の凹凸形状の大きさに合わせて長さを選定することが好ましい。
【００３２】
刃５０の形状は、図４Ｃに示すように、その取り付け部５１が例えば円筒形状とされ、刃先５２の側面形状は上述したように例えば円弧状等とし得る。取り付け部５１を軸部３１、３２の突起３３、３４に対して一定の位置関係に、すなわち各刃先５２の向きをそろえて取り付けるには、例えば軸部３１、３２の先端付近と取り付け部５１の円筒面に目印等が付与されていてもよく、またこれらを嵌合した状態で微小な凹部と凸部とが合致した位置で安定するなどの位置決め構造が形成されていてもよい。
【００３３】
なお、刃先５２の形状は、例えばＪＩＳのＫ５６００−５−６に規定されているような、両刃型構成とすることが好ましい。両刃型とすることで、切り込み線を左右対称な断面形状とし、より均一な深さ、均一な形状の切り込みを行うことが可能となる。
【００３４】
弾性体６０としては、図４Ｄに示すように、コイルバネを用いることが好ましく、また上述したように、弾性定数等の特性及び大きさや形状は均一化されていることが好ましい。そしてその径は、内径が軸部３１及び３２より大きく、また刃５０の取り付け部５１の外径、及び軸受け部４０の筒状部４１、４２の外径より小さいことが好ましい。また弾性体６０の外径は、取り付け部５１の内径、筒状部４１、４２の内径より大きければよい。このようにすることで軸部３１及び３２を内部に移動可能に収容し、且つ、取り付け部５１の端面と筒状部４１及び４２の端面とで挟み込むことにより、容易に弾性体６０を配置することができる。弾性体６０の長さは、軸部３１及び３２、スリット２１及び２２と同様、使用する被検査体の凹凸形状の大きさに合わせて選定することが好ましく、また刃５０と軸受け部４０との間に配置された状態での長さも同様である。
【００３５】
図５〜図７はそれぞれ軸受け部４０の側面図、下面図、背面図である。軸受け部４０には軸部３１を嵌合する筒状部４１と、軸部３２を嵌合する筒状部４２とが設けられ、筒状部４１は筒状部４２に比べて長く形成される。また各筒状部４１、４２は、軸部３１、３２の外径よりやや大きく、軸部３１、３２の移動を妨げない程度の内径の管孔４１ｈ、４２ｈを有する。筒状部４１と筒状部４２との長さの違いは、軸部３１及び３２の長さの差と同程度であればよい。
【００３６】
筒状部４１及び４２の数は、軸部３１及び３２に合わせてそれぞれ６本、５本として、上下に配置して一体に形成される。またその下部には例えば直方体状の台座４３が接着等により固定され、正面側には位置決め用、また切り粉除け用等の、板状の前面部４４が設けられる。台座４３の下部には直方体状等の支持部４５、更にその下部に円柱状等の取り付け部４７が例えば一体に形成されて、支持部４５の上面が台座４３の下面に同様に固定される。支持部４５及び取り付け部４７との間は必要に応じて面取りされ傾斜面４６とされていてもよい。これら台座４３、支持部４５及び取り付け部４７は一体に成形されていてもよく、各部を接着等により固定して組み立てる構成としてもよい。
【００３７】
図８は、ガイド部２０の平面図である。図８に示すように、ガイド部２０は板状の部材より構成し、軸部３１の突起３３を嵌合する６本のスリット２１と、軸部３２の突起３４を嵌合する５本のスリット２２とが設けられる。スリット２１、２２の長さは上述したように、軸部３１及び３２、弾性体６０の長さと同様に、使用する被検査体の凹凸形状に合わせて適宜選定すればよい。またスリット２１、２２の幅は突起３３、３４が嵌合して移動可能な幅であればよく、また隣接するスリット同士の間隔は、刃先５２の間隔に合わせて例えば同程度とすればよい。またガイド部２０には、他に軸受け部４０の支持部４５を貫通させる例えば長方形状の孔部２３が設けられる。孔部２３や軸受け部４０の支持部４５の位置及び形状は、把持部１０を使用者が保持したときに使用し易い位置であればよい。
【００３８】
またこの切り込み工具１００においては、図１に示すように、ガイド部２０の下部には、軸受け部４０を把持部１０に接続するための支持部１３が設けられる。図９Ａ〜Ｃに支持部１３の上面図、下面図及び側面図を示す。図９Ａ〜Ｃに示すように、この支持部１３には平面長方形状等の台座１４とその下部に固定される円筒状等の軸部１５が設けられる。台座１４の上面から軸部１５にかけて、軸受け部４０の支持部４５が挿入される長方形状の孔部１４ｈが形成される。また軸部１５には、この孔部１４ｈに連結する筒状等の孔部１５ｈが形成され、支持部４５の取り付け部４７が挿入される。これら軸受け部４０の支持部４５や取り付け部４７と、支持部１３の台座１４や軸部１５の形状は相互に取り付け可能であればこれに限定されるものではない。
【００３９】
以上図３〜図９において説明した軸部３１及び３２、刃５０、弾性体６０、軸受け部４０、ガイド部２０、支持部１３を組み立てて、係止部１１、１２により把持部１０に接続固定することで、図１に示す切り込み工具１００が構成される。係止部１１、１２による軸受け部４０と把持部１０との接続は、例えば係止部１１及び１２のそれぞれ外周及び内周に螺子溝が形成され、係止部１２の締め付けにより、係止部１１の内径が縮小することで、その内部に挿入された支持部１３の軸部１５が固定されて接続される態様とし得る。またこれに限らずその他種々の接続、固定態様とすることができる。
【００４０】
図１０は、この切り込み工具１００の使用状態を示す概略斜視図である。図１０において、図１と対応する部分には同一符号を付して重複説明を省略する。被検査体である例えば凸レンズ３００の塗膜面に切り込み工具１００の刃５０を押し当てている状態を示す。凸レンズ３００の表面形状に従って、軸部３１がスリット２１に沿って移動し、刃５０がほぼ均等な力でレンズ表面に押し当てられると共に、刃５０の横方向のずれが抑制されることがわかる。なお、参考図として図１１に切り込み工具１００の一例の使用状態を示す。
【００４１】
２．第２の実施の形態
図１２は、本発明の他の実施の形態に係る切り込み工具の要部の概略構成図であり、図１２Ａは側面図、図１２Ｂは上面図である。図１２に示すように、この切り込み工具においては、ガイド部として板状等の別体の部材を用いずに、軸受け部１４０の筒状部自体に受け部としてスリット１２１を設ける例である。したがって軸部１３１には、後端ではなく、軸受け部１４０の筒状部に嵌合される位置に突起１３３が設けられる。軸部１３１の先端に取り付けられる刃１５０、刃１５０の取り付け部１５１及び刃先１５２、また刃１５０と軸受け部１４０との間に介在させる弾性体１６０の形状や取り付け態様は、第１の実施の形態における切り込み工具１００と同様の構成とし得る。
【００４２】
突起１３３はこの場合、軸部１３１の外周面から突出する円柱状とされ、その上部は半球状等の滑らかな形状とされていてもよい。スリット１２１の長さは第１の実施の形態において説明した切り込み工具１００のスリット２１と同様に選定し得る。図１２Ｂにおいては３本の軸部１３１を配置した状態を示すが、第１の実施の形態と同様に６本でもよく、また同様に下部に５本の軸部を別途配置してもよい。また軸受け部１４０に設ける支持部や、これに接続する把持部等は、前述の切り込み工具１００と同様の構成とし得る。
【００４３】
このような構成とすることで、第１の実施の形態における切り込み工具１００と同様に、弾性体１６０を刃１５０と軸受け部１４０との間に配置することで、被検査面が自由曲面などの複雑な曲面を有する場合であっても、ほぼ一定の深さの傷、すなわち切り込み痕を、直線的に付与することができる。
【００４４】
また、軸部１３１に設ける突起１３３を、ガイド部である軸受け部１４０に設ける平行なスリット１２１の形状に沿って移動させることで、軸部１３１の移動方向が統一される。これにより、刃先１５２に加わる力の方向がより一定になり、均質な切り込み線を形成することが可能となる。
【００４５】
以上説明したように、本発明の切り込み工具によれば、従来と比べて切り込み線を一定の深さ、形状で形成できるので、複雑な曲面を有する塗膜面に対して、より同じ条件で評価をすることが可能となる。
【００４６】
なお、本発明は、各実施の形態において説明した構成に限定されるものではなく、把持部の材質や形状、また刃の数や配列態様等において、特許請求の範囲に記載される本発明の要旨を逸脱しない限りにおいて、種々の変型例または応用例を含むものであることはいうまでもない。
【符号の説明】
【００４７】
１０．把持部、１１，１２.係止部、１３．支持部、１４．台座、１４ｈ．孔部、１５．軸部、１５ｈ．孔部、２０．ガイド部、２１，２２．スリット、２３．孔部、３１，３２，１３１．軸部、３３，３４，１３３．突起、４０，１４０．軸受け部、４１，４２．筒状部、４３．台座、４４．前面部、４５．支持部、４７．取り付け部、５０．刃，１５０、５１，１５１．取り付け部、５２，１５２．刃先、６０，１６０．弾性体、１００．切り込み工具、３００．被検査体
【図１】
2011104566.tif 000003
【図２】
2011104566.tif 000004
【図３】
2011104566.tif 000005
【図４】
2011104566.tif 000006
【図５】
2011104566.tif 000007
【図６】
2011104566.tif 000008
【図７】
2011104566.tif 000009
【図８】
2011104566.tif 000010
【図９】
2011104566.tif 000011
【図１０】
2011104566.tif 000012
【図１２】
2011104566.tif 000013
【図１１】
2011104566.tif 000014